(57)【要約】【課題】非使用時に人の行動範囲を制限する要因となりにくい吊下型コンセントシステムを提供する。【解決手段】吊下型コンセントシステム１００は、配線ダクト８０に取り付けられて配線ダクト８０から電力が供給されるケーブル付コンセント１と、ケーブル付コンセント１を保持するための保持体９と、を備える。ケーブル付コンセント１は、取付部３と、コンセント本体２と、ケーブル４と、を備える。取付部３は、配線ダクト８０に取り付けられる。コンセント本体２は、接続対象を接続するための接続口２０を有し、取付部３から第１方向Ｄ１に沿って吊り下げられる。ケーブル４は、取付部３とコンセント本体２とを接続する。保持体９は、ケーブル付コンセント１が、ケーブル４が第１方向Ｄ１と交差する第２方向Ｄ２に沿う姿勢となるように、ケーブル付コンセント１における取付部３以外の部分を保持する。【選択図】図１
2019046594.tif 000002
【特許請求の範囲】
【請求項１】
配線ダクトに取り付けられて前記配線ダクトから電力が供給されるケーブル付コンセントと、
前記ケーブル付コンセントを保持するための保持体と、
を備え、
前記ケーブル付コンセントは、
前記配線ダクトに取り付けられる取付部と、
接続対象を接続するための接続口を有し、前記取付部から第１方向に沿って吊り下げられるコンセント本体と、
前記取付部と前記コンセント本体とを接続するケーブルと、
を備え、
前記保持体は、前記ケーブル付コンセントが、前記ケーブルが前記第１方向と交差する第２方向に沿う姿勢となるように、前記ケーブル付コンセントにおける前記取付部以外の部分を保持する
吊下型コンセントシステム。
【請求項２】
前記ケーブルは、規定値以上の剛性を有する外郭を備える
請求項１記載の吊下型コンセントシステム。
【請求項３】
前記保持体は、前記取付部から離れた位置で前記ケーブルの前記外郭を保持する
請求項２記載の吊下型コンセントシステム。
【請求項４】
前記取付部は、前記ケーブルが前記第１方向に沿う姿勢と前記第２方向に沿う姿勢との間で回転可能となるように前記ケーブルを保持する、縦回転機構を備える
請求項２又は３記載の吊下型コンセントシステム。
【請求項５】
前記縦回転機構によって前記ケーブル付コンセントが前記第２方向に沿う姿勢から第１方向に沿う姿勢に向かって回転するときの、前記ケーブルの回転速度を減速させる減速機構を、更に備える
請求項４記載の吊下型コンセントシステム。
【請求項６】
前記取付部は、前記ケーブルにおける前記取付部側の一部を出し入れ可能に収納するための収納空間を有する
請求項１記載の吊下型コンセントシステム。
【請求項７】
前記保持体は、前記配線ダクトに取り付けられる
請求項１〜６の何れか一項記載の吊下型コンセントシステム。
【請求項８】
前記保持体は、前記ケーブルの一部を引っ掛けるためのフックを備える
請求項１〜７の何れか一項記載の吊下型コンセントシステム。
【請求項９】
前記コンセント本体は、第１結合部を備え、
前記保持体は、第２結合部を備え、
前記第１結合部と前記第２結合部とは磁力によって互いに結合される
請求項１〜８の何れか一項記載の吊下型コンセントシステム。
【請求項１０】
前記取付部は、
所定値以上の剛性を有する外郭を備えており、前記ケーブルに接続されている接続ケーブルと、
前記第１方向と直交する面内に位置するように前記接続ケーブルを保持して、前記接続ケーブルを前記面内で回転させる横回転機構と、
を備える
請求項１〜９の何れか一項記載の吊下型コンセントシステム。
【請求項１１】
前記ケーブルの長さは、前記コンセント本体が、前記接続対象としてのプラグを有する電気機器が設置される使用面と、前記配線ダクトと、の間に位置する長さに設定される
請求項１〜１０の何れか一項記載の吊下型コンセントシステム。
【請求項１２】
前記ケーブルの長さを調整するための長さ調整機構を更に備える
請求項１〜１１の何れか一項記載の吊下型コンセントシステム。
【発明の詳細な説明】
【技術分野】
【０００１】
本開示は、一般に吊下型コンセントシステムに関し、より詳細には、配線ダクトから吊り下げられるケーブル付コンセントを備えた吊下型コンセントシステムに関する。
【背景技術】
【０００２】
従来、天井に固定される支持体と、支持体より垂下された紐体と、紐体の先端に昇降自在に設けられた本体と、を備える天井吊下型コンセントが知られている（例えば特許文献１参照）。
【０００３】
この天井吊下型コンセントは、電源カールコードと、本体内で電源カールコードの端部に接続され差込プラグが挿抜自在に接続されるコンセント部（コンセント本体）と、を備えている。また、電源カールコードの内側に、紐体が挿通されている。
【０００４】
この吊下型コンセントにおいては、コンセント本体を利用しないときには天井近くに本体を引き上げておくことができ、利用する際に適宜、任意の位置まで本体を引き下げて紐体により保持させておくことができるようになっている。
【先行技術文献】
【特許文献】
【０００５】
【特許文献１】特開２００７−１９３９９５号公報
【発明の概要】
【発明が解決しようとする課題】
【０００６】
特許文献１に記載の吊下型コンセントにおいては、本体を引き上げたとしても、本体が天井からある程度離れて吊り下げられた状態で、本体が維持されている。そのため、例えば吊下型コンセントを利用しないときに、コンセント本体を含む本体が人の視野内に入って気になったり、背の高い人や大きな荷物を持った人等の通行の邪魔になったりする可能性がある。すなわち、コンセント本体を使用しないときに、コンセント本体が、人の行動範囲を制限してしまう可能性がある。
【０００７】
本開示は上記事由に鑑みてなされており、非使用時（コンセント本体を使用しないとき）に、人の行動範囲を制限する要因となりにくい吊下型コンセントシステムを提供することを目的とする。
【課題を解決するための手段】
【０００８】
本開示の一態様に係る吊下型コンセントシステムは、ケーブル付コンセントと、保持体と、を備える。前記ケーブル付コンセントは、配線ダクトに取り付けられて前記配線ダクトから電力が供給される。前記保持体は、前記ケーブル付コンセントを保持するための保持体である。前記ケーブル付コンセントは、取付部と、コンセント本体と、ケーブルと、を備える。前記取付部は、前記配線ダクトに取り付けられる。前記コンセント本体は、接続対象を接続するための接続口を有し、前記取付部から第１方向に沿って吊り下げられる。前記ケーブルは、前記取付部と前記コンセント本体とを接続する。前記保持体は、前記ケーブル付コンセントが、前記ケーブルが前記第１方向と交差する第２方向に沿う姿勢となるように、前記ケーブル付コンセントにおける前記取付部以外の部分を保持する。
【発明の効果】
【０００９】
本開示の吊下型コンセントシステムは、非使用時に、人の行動範囲を制限する要因となりにくいという利点がある。
【図面の簡単な説明】
【００１０】
【図１】図１は、本開示の一実施形態に係る吊下型コンセントシステム及び配線ダクトに関し、ケーブル付コンセントを第１姿勢とした状態の斜視図である。
【図２】図２は、同上の吊下型コンセントシステム及び配線ダクトに関し、ケーブル付コンセントを第２姿勢とした状態の斜視図である。
【図３】図３は、同上の吊下型コンセントシステム及び配線ダクトに関し、吊下型コンセントシステムを配線ダクトから外した状態の斜視図である。
【図４】図４は、同上の吊下型コンセントシステムの一使用例を示す説明図である。
【図５】図５は、同上の吊下型コンセントシステムの一使用例に関し、ケーブル付コンセントを配線ダクトに沿って収納した状態を示す説明図である。
【図６】図６は、本開示の一実施形態の変形例１に係る吊下型コンセントシステム及び配線ダクトの斜視図である。
【図７】図７は、本開示の一実施形態の変形例２に係る吊下型コンセントシステム及び配線ダクトの斜視図である。
【図８】図８は、本開示の一実施形態の変形例３に係る吊下型コンセントシステム及び配線ダクトの斜視図である。
【図９】図９は、本開示の一実施形態の変形例４に係る吊下型コンセントシステム及び配線ダクトの斜視図である。
【図１０】図１０は、本開示の一実施形態の変形例５に係る吊下型コンセントシステム及び配線ダクトの斜視図である。
【発明を実施するための形態】
【００１１】
下記の実施形態等において説明する図１〜図１０は、模式的な図であり、図１〜図１０中の各構成要素の大きさや厚さそれぞれの比が、必ずしも実際の寸法比を反映しているとは限らない。
【００１２】
（１）概要
本実施形態に係る吊下型コンセントシステム１００は、例えば、建物の部屋の天井又は建物の屋外に設けられている屋根に固定された配線ダクト８０に、取り付けられて使用される。吊下型コンセントシステム１００が使用される建物は、例えば工場、学校、店舗、病院及びオフィス等の非住宅であってもよいし、戸建住宅、及び集合住宅等の住宅であってもよい。
【００１３】
吊下型コンセントシステム１００は、図１〜図５に示すように、配線ダクト８０に取り付けられるケーブル付コンセント１と、ケーブル付コンセント１を保持するための保持体９と、を備えている。
【００１４】
ケーブル付コンセント１は、電気機器３０１のプラグ（接続対象）が接続されるコンセント本体２を備えており、コンセント本体２に接続された電気機器３０１への電力供給を行うコンセント（Outlet）の機能を有している。ここでは、コンセント本体２は、接地極付きの交流１００Ｖ用であって、２個のプラグを同時に接続可能な２個口タイプのコンセント（接続対称であるプラグを接続するための接続口２０を、２個有するコンセント）である。コンセント本体２に接続される電気機器３０１は特に限定されず、例えば、ポータブルコンピュータ等の可搬型の電気機器３０１であってもよいし（図４参照）、建物に据え付けられた電動式の工具、家電製品、実験器具等の持ち運び困難な電気機器３０１であってもよい。
【００１５】
図１〜図３に示すように、ケーブル付コンセント１は、取付部３と、ケーブル（電線及び被覆部；ケーブル部）４と、を更に備えている。取付部３は、配線ダクト８０に取り付けられ、配線ダクト８０の導体８１に電気的に接続される。ケーブル４は、第１端４１及び第２端４２を有しており、第１端４１が取付部３に接続され、第２端４２がコンセント本体２に接続されている。ケーブル４は、内部に電線を有しており、コンセント本体２と取付部３とがケーブル４の電線を介して電気的に接続される。これにより、コンセント本体２に対して、配線ダクト８０の導体８１が接続されている系統電源（商用電源）等から、電力が供給される。すなわち、ケーブル４は、取付部３からコンセント本体２への電力の供給経路となる。
【００１６】
本実施形態のケーブル付コンセント１は、コンセント本体２が第１方向Ｄ１に沿って取付部３から（ケーブル４を介して）吊り下げられた第１姿勢と、ケーブル４が第１方向Ｄ１と交差する第２方向Ｄ２に沿う第２姿勢と、に遷移可能である。第１姿勢は、ケーブル４及びコンセント本体２の自重によって、コンセント本体２が取付部３から吊り下げられた姿勢である（図１参照）。第２姿勢は、例えば、ケーブル４の長手方向が水平方向に沿い、コンセント本体２の高さが配線ダクト８０の取付部３と略同じとなる姿勢である（図２参照）。保持体９は、ケーブル付コンセント１が第２姿勢に維持されるように、取付部３以外の部分（ここでは、ケーブル４）でケーブル付コンセント１を保持可能である。
【００１７】
このような吊下型コンセントシステム１００では、コンセント本体２の使用時（コンセント本体２の接続口２０に電気機器３０１のプラグを接続するとき）には、使用者はケーブル付コンセント１を第１姿勢とし、コンセント本体２を取付部３から吊り下げた状態とできる。これにより、電気機器３０１が設置される使用面３００の近くに、コンセント本体２を位置させることが可能となる（図４参照）。
【００１８】
また、コンセント本体２の非使用時（接続口２０にプラグを接続しないとき）には、使用者は、保持体９によって、ケーブル付コンセント１を第２姿勢に維持させることができる。これにより、コンセント本体２の非使用時には、ケーブル付コンセント１を取付部３と同じ高さに維持させることができ、使用時にコンセント本体２によって占められる空間から、コンセント本体２をなくすことができる。したがって、非使用時には、吊下型コンセントシステム１００が、人の行動範囲を制限する要因となりにくくなる（図５参照）。
【００１９】
なお、図１等では、配線ダクト８０にケーブル付コンセント１が１個のみ取り付けられた例を示しているが、配線ダクト８０に２個以上のケーブル付コンセント１が取り付けられてもよい。
【００２０】
（２）詳細
以下、本実施形態に係る吊下型コンセントシステム１００について、図１〜図５を参照して詳しく説明する。
【００２１】
本実施形態に係る吊下型コンセントシステム１００は、上記のように、配線ダクト８０から吊り下げられて配線ダクト８０から電力が供給されるケーブル付コンセント１と、ケーブル付コンセント１を保持するための保持体９と、を備えている。
【００２２】
以下の説明では、配線ダクト８０にケーブル付コンセント１が吊り下げられた状態での、水平面に対して垂直な（直交する）方向を「上下方向」とし、下方（鉛直下向き）を「下方」として説明する。ただし、これらの方向は吊下型コンセントシステム１００の使用態様を限定する趣旨ではない。すなわち、上記の第１方向Ｄ１は、本実施形態では上下方向と一致しているが、上下方向と完全に一致していなくてもよい。例えば、吊下型コンセントシステム１００は、第１姿勢において、ケーブル付コンセント１が上下方向に対して傾いていてもよい。また、上記の第２方向Ｄ２は、本実施形態では配線ダクト８０の長手方向と略一致するが、必ずしも配線ダクト８０の長手方向と一致していなくてもよい。
【００２３】
（２．１）配線ダクト
まず、図３を参照して、配線ダクト８０について説明する。配線ダクト８０は、例えば、建物の部屋の天井に、長手方向が天井面に沿うように固定される。
【００２４】
配線ダクト８０は、上記の導体８１に加えて、ダクト本体８２を備えている。
【００２５】
ダクト本体８２は、アルミニウムなどの金属により両端が開口したへん平な角筒状に形成され、表面が絶縁性の合成樹脂でコーティングされている。ダクト本体８２は、直線状に形成されて下方に開放した溝状の接続凹部８２１を有している。ダクト本体８２の幅方向において互いに対向するダクト本体８２の一対の内面の下端からは、リップ部８２２が、それぞれ接続凹部８２１の内側へ突出している。すなわち、ダクト本体８２の接続凹部８２１は、いわゆるリップ溝となっている。
【００２６】
より具体的には、ダクト本体８２は、接続凹部８２１の上側の壁を構成する上壁８２３と、上壁８２３の幅方向の両端からそれぞれ下方へ突出し、接続凹部８２１の幅方向の両側の壁を構成する２個の側壁８２４と、を有する。接続凹部８２１は、ダクト本体８２の下側と長手方向の両側とにそれぞれ開放されており、溝として見た場合の接続凹部８２１の深さ方向は上下方向となり深さ方向の奥側は上側となる。各リップ部８２２は、対応する側壁８２４の下端から、接続凹部８２１の内側に向かって、上壁８２３と平行に突出している。
【００２７】
さらに、接続凹部８２１の内面（２個の側壁８２４の互いに対向する面）において、リップ部８２２の上側（接続凹部８２１の深さ方向の奥側）の部分からは、それぞれ、ダクト本体８２の長手方向に延長された一対の導体保持部８２５が突出している。一対の導体保持部８２５において互いに対向する面（各導体保持部８２５において、ダクト本体８２の幅方向における一面）には、導体保持部８２５の長手方向に延長された溝状の凹部８２６が設けられている。各凹部８２６内に、上記の導体８１が収納及び保持されている。
【００２８】
なお、ケーブル付コンセント１が取り付けられる配線ダクト８０の構造は、図示されたものに限られない。例えば、ケーブル付コンセント１は、３つ以上の導体を備えた配線ダクト等、任意の配線ダクトに取り付け可能である。
【００２９】
（２．２）ケーブル付コンセント
ケーブル付コンセント１は、上記のように、コンセント本体２と、取付部３と、ケーブル４と、を備えている。
【００３０】
図１に示すように、コンセント本体２は、ケース２１と、ケース２１内に収納されるコンセント部２２と、を備えている。
【００３１】
ケース２１は、合成樹脂製であって、一例としてＡＢＳ樹脂製である。ケース２１は、一方向（図１の上下方向）に長い「縦長」の形状であって、長手方向と直交する面内において一方向（厚さ方向）にへん平な形状である。ケース２１は、長手方向の第１端２１１でケーブル４と接続されている。また、ケース２１は、長手方向の第２端２１２から第１端２１１に近づくに従って、その厚さ寸法及び幅寸法が小さくなるような先細り形状である。ケース２１は、第２端２１２から第１端２１１にかけて、段差無く繋がったような形状、いわゆる「ワンモーションフォルム」を採用している。具体的には、ケース２１の外周面は、第２端２１２から長手方向の中間部位までは外向きに凸となるように緩やかに湾曲しており、長手方向の中間部位から第１端２１１までは内向きに凸となるように緩やかに湾曲している。さらに、ケース２１の外周面は、長手方向に平行な方向から見て、全周にかけて段差無く繋がった湾曲面である。ケース２１の表面は、シボ加工（エンボス加工）された凹凸面からなる。ここでいう「シボ加工」は、ケース２１の成形時において、ケース２１の表面に細かい凹凸のしわ模様（シボ）を付ける加工である。
【００３２】
ケース２１は、ボディ２１３とカバー２１４との２つの部材が組み合わされて構成されている。ボディ２１３及びカバー２１４は、互いに対向する面にそれぞれ開口を有しており、互いの開口を合わせるようにして結合される。これにより、ボディ２１３及びカバー２１４の間には、コンセント部２２等を収納するための内部空間が形成される。ボディ２１３とカバー２１４とは、例えば、ボディ２１３とカバー２１４とのうちの一方の開口の内周縁に形成された複数の結合穴に、他方の開口の内周縁から突出する複数の結合爪を引っ掛けることで、互いに仮止めされる。この状態で、複数の結合ねじを、ボディ２１３とカバー２１４とのうちの一方を通して他方に締め付けることにより、ボディ２１３とカバー２１４とが結合される。
【００３３】
ケース２１の第１端２１１には、後述のコードを通すための導入孔が形成されている。導入孔は、ケース２１の第１端２１１の端面に形成された円形の孔である。本実施形態では、ボディ２１３とカバー２１４とにそれぞれ形成された半円状の一対の切り欠きが合わさって、円形状の導入孔が構成されている。
【００３４】
また、ケース２１の第２端２１２には、コンセント部２２を露出させるための開口部２１６が形成されている。開口部２１６は、ケース２１の第２端２１２側の壁を貫通する孔であって、ケース２１の幅方向に長い矩形状に形成されている。なお、開口部２１６は、例えばケース２１の側面に形成されていてもよい。この場合、ケーブル付コンセント１の第１姿勢において、コンセント部２２の接続口２０は、ケース２１の側方を向くことになる。
【００３５】
また、ケース２１は、ボディ２１３におけるカバー２１４とは反対側の面から突出する一対のフック２１７を更に有している。一対のフック２１７は、電気機器３０１のプラグから延びる電源コードを引っ掛けるための構造である。これにより、ケーブル付コンセント１は、コンセント本体２にプラグが接続された状態で、電源コード等の自重によりプラグに対して掛かる荷重を、フック２１７にて受けることができる。
【００３６】
コンセント部２２は、合成樹脂製のハウジング２２１と、ハウジング２２１内に収納される刃受部材等の内蔵部品と、を有している。コンセント部２２は、ハウジング２２１の一面（接続面）２２２が開口部２１６から露出するように、ケース２１に収納される。接続面２２２には、プラグの栓刃（又はピン）を挿入するための接続口２０が形成されている。コンセント部２２は、プラグを回転させることによってプラグの栓刃（又はピン）の抜け止めを行うロック機構を有している。
【００３７】
さらに、ケース２１内には、電線及びシースを含む可撓性を有するコードが収納されている。コードは、例えば被覆電線であり、一例として、ビニル丸形コード（ＶＲＦ、ＶＳＲＦ）にて構成されている。コードの第１端は、ケース２１内で２つの分岐コードに分岐されており、各分岐コードは、２つの接続口２０のうちの対応する接続口２０の端子部（いわゆる速結端子）に接続される。また、このコードの第２端は、上記のケース２１の導入孔及びケーブル４内を通って、ケーブル４の第１端４１から露出している。
【００３８】
図１に示すように、ケーブル４は、外郭４０を備えている。
【００３９】
本実施形態では、外郭４０は、例えばステンレス等の金属製のパイプであり、表面が絶縁性の合成樹脂でコーティングされている。外郭４０は、円筒状である。外郭４０は、規定値以上の剛性を有する。外郭４０は、曲げ剛性及びねじり剛性が大きいことが好ましい。外郭４０は、少なくとも、コンセント本体２の接続口２０にプラグを接続していない状態で、保持体９によってケーブル付コンセント１を第２姿勢で維持したときに、外郭４０がほぼ撓まない程度の曲げ剛性を有していることが好ましい。また、外郭４０は、人の力では外郭４０がほぼねじれない程度のねじり剛性を有していることが好ましい。
【００４０】
外郭４０内に、上記のコードが通されている。コードの電線は、シースによって、外郭４０から電気的に絶縁されている。
【００４１】
ケーブル４の長さは、例えば、ケーブル付コンセント１を第１姿勢としたときに、コンセント本体２に接続される電気機器３０１が置かれる使用面３００と配線ダクト８０との間に、コンセント本体２（の接続口２０）が位置するような長さに設定される（図４参照）。例えば電気機器３０１がポータブルコンピュータの場合、使用面３００は、ポータブルコンピュータが置かれる机（什器）の天板の上面である。例えば電気機器３０１が建物に据え付けられている工具の場合、使用面３００は、建物の部屋の床面である。ケーブル４の長さは、例えば、吊下型コンセントシステム１００を設置する際に、異なる長さのケーブル４を有する複数のケーブル付コンセント１のうちから、所望の長さのケーブル４を有するケーブル付コンセント１を選択することで、設定可能である。
【００４２】
適切な長さのケーブル４を有するケーブル付コンセント１を選択することで、ケーブル付コンセント１を第１姿勢としたときの、使用面３００からコンセント本体２（の接続口２０）までの距離（以下、「コンセント高さ」と呼ぶ）を適切な値とすることができる。コンセント高さの適切な値は、吊下型コンセントシステム１００が設置される部屋の用途、接続される電気機器３０１の種類等によって変わる。例えば、学校の実験室、工場等のように、使用者が立った状態でコンセント本体２に電気機器３０１のプラグを接続することが想定される場合、コンセント高さは８０ｃｍ程度であってもよい。例えば、図書館、オフィス等のように、使用者が座った状態でコンセント本体２に電気機器３０１のプラグを接続することが想定される場合、コンセント高さは５０ｃｍ程度であってもよい。例えば、コンセント本体２に、床面に設置された電気機器３０１のプラグを接続することが想定される場合、コンセント高さは０ｃｍであってもよい。例えば、接続口２０がケース２１の側方を向いている場合には、コンセント高さをほぼ０ｃｍとしてもよい。コンセント高さは、例えば、０ｃｍ以上であればよく、１０ｃｍ以上であることが好ましく、２０ｃｍ以上、５０ｃｍ以上であってもよい。また、コンセント高さは、例えば、２００ｃｍ以下であることが好ましく、１５０ｃｍ以下であることがより好ましく、８０ｃｍ以下、５０ｃｍ以下であってもよい。
【００４３】
図３に示すように、取付部３は、接続部材３１と、アーム部材３２と、を備える。
【００４４】
接続部材３１は、筒状体３１０と、一対の端子板３１１と、一対の突出部３１２と、を備えている。筒状体３１０は、例えば樹脂材料によって形成されており、電気絶縁性を有している。筒状体３１０は、筒状（ここでは円筒状）に形成されており、上側に天面３１００を有している。一対の端子板３１１は、例えば金属材料によって形成されている。一対の端子板３１１は、導電性を有している。一対の端子板３１１の各々は、板状に形成されている。一対の端子板３１１は、筒状体３１０の側面から、筒状体３１０の高さ方向（上下方向）と直交する方向において互いに反対向きに突出している。一対の突出部３１２は、例えば樹脂材料によって形成されている。一対の突出部３１２は、電気絶縁性を有している。一対の突出部３１２は、板状に形成されている。一対の突出部３１２は、筒状体３１０の側面において、端子板３１１の下側の部分から、筒状体３１０の高さ方向と直交する方向において互いに反対向きに突出している。一対の突出部３１２は、一対の端子板３１１とそれぞれ平行に突出している。
【００４５】
アーム部材３２は、第１アーム３２１と、第２アーム３２２と、アーム側ケーブル３２３と、第１ばね３２４と、第２ばね３２５と、を備える。
【００４６】
第１アーム３２１は、例えば金属材料によって形成されている。第１アーム３２１は、一対の側板（第１アーム側板）３２１１と天板３２１０とで、側面視で逆Ｕ字状に形成されている。天板３２１０は、中央にアーム側ケーブル３２３を通すための孔が開いた矩形板状であり、接続部材３１の筒状体３１０の下面に結合されている。一対の側板３２１１は、それぞれ先端が半円状の矩形板状であり、互いに対向するように、天板３２１０の厚さ方向に突出している。一対の側板３２１１の先端部分には、それぞれ挿通孔（第１挿通孔）が形成されている。一対の側板３２１１の基端部分（天板３２１０側の部分）には、半円板状の支持板部が側板３２１１の幅方向にそれぞれ突出して形成されており、支持板部から、円柱状の引掛部（第１引掛部）がそれぞれ外側に突出している。
【００４７】
第２アーム３２２は、例えば金属材料によって形成されている。第２アーム３２２は、一対の側板（第２アーム側板）３２２１と底板３２２０とで、側面視でＵ字状に形成されている。底板３２２０は、矩形板状であり、下面がケーブル４の第１端４１に結合されており、その中央に形成された孔に、ケーブル４のコードが通されている。一対の側板３２２１は、それぞれ先端が半円状の矩形板状であり、互いに対向するように、底板３２２０の厚さ方向に突出している。一対の側板３２２１の先端部分には、それぞれ挿通孔（第２挿通孔）が形成されている。一対の側板３２２１の基端部分（底板３２２０側の部分）から、円柱状の引掛部（第２引掛部）がそれぞれ外側に突出している。
【００４８】
アーム側ケーブル３２３は、上記のコードの一部（第２端の部分）である。アーム側ケーブル３２３の一対の電源線はそれぞれ、接続部材３１の筒状体３１０内で対応する端子板３１１に接続されている。取付部３が、筒状体３１０の天面３１００から突出する接地端子を有している場合、アーム側ケーブル３２３の接地線は、この接地端子に接続されることが好ましい。接地端子は、例えば、ダクト本体８２における上壁８２３の下面側の一部のコーティングを取り除くことで露出した、ダクト本体８２の金属部分に接続される構成であってもよい。
【００４９】
第１アーム側板３２１１と第２アーム側板３２２１とは、第１及び第２挿通孔を重ね合わせ、第１及び第２挿通孔にブッシュを通し、ブッシュにボルトを通してナットを結合することで、第１及び第２挿通孔の中心を回転軸として相対的に回転可能に結合される。すなわち、アーム部材３２は、第１アーム３２１の長手方向と第２アーム３２２の長手方向とが揃う第１状態（図１参照）と、第１アーム３２１の長手方向と第２アーム３２２の長手方向とが交差する第２状態（図２参照）との間で遷移可能である。アーム部材３２による第１アーム３２１に対する第２アーム３２２の回転方向は、接続部材３１の一対の突出部３１２の突出方向（一対の端子板３１１の突出方向）を回転軸とする方向である。アーム部材３２が第１状態のとき、ケーブル付コンセント１は第１姿勢となり、アーム部材３２が第２状態のとき、ケーブル付コンセント１は第２姿勢となる。すなわち、本実施形態では、アーム部材３２は、ケーブル４が第１方向Ｄ１に沿う姿勢（第１姿勢）と第２方向Ｄ２に沿う姿勢（第２姿勢）との間で回転可能となるようにケーブル４を保持する、縦回転機構を構成する。
【００５０】
第１ばね３２４及び第２ばね３２５の各々は、コイルばね（引張コイルばね）である。第１ばね３２４及び第２ばね３２５の各々は、一端が第１アーム側板３２１１の第１引掛部に引っ掛けられ、他端が第２アーム側板３２２１の第２引掛部に引っ掛けられている。第１ばね３２４及び第２ばね３２５の自然長は、アーム部材３２が第２状態（図２参照）にあるときの、第１引掛部と第２引掛部との間隔と同程度である。
【００５１】
第１ばね３２４及び第２ばね３２５は、アーム部材３２が第２状態（図２参照）から第１状態（図１参照）へ遷移するときに、第１引掛部と第２引掛部との間隔が広がることで、伸ばされる。そして、第１ばね３２４及び第２ばね３２５は、伸ばされたことにより生じる復元力によって、アーム部材３２の第２状態から第１状態への遷移速度を減速させる。すなわち、本実施形態では、第１ばね３２４及び第２ばね３２５は減速機構を構成する。減速機構は、縦回転機構（アーム部材３２）によってケーブル付コンセント１が第２方向Ｄ２に沿う姿勢（第２姿勢）から第１方向Ｄ１に沿う姿勢（第１姿勢）に向かって回転するときの、ケーブル４の回転速度を減速させる。
【００５２】
（２．３）配線ダクトへのケーブル付コンセントの取り付け
取付部３を配線ダクト８０に取り付けることで、ケーブル付コンセント１が配線ダクト８０に取り付けられる。
【００５３】
例えば、まず、接続部材３１の一対の突出部３１２の突出方向が、接続凹部８２１の長手方向（ダクト本体８２の長手方向）に揃うように、取付部３を配線ダクト８０の下方に位置させる。そして、一対の突出部３１２を、下方から接続凹部８２１内に挿入し、筒状体３１０の軸を中心として９０度回転させる。これにより、ダクト本体８２のリップ部８２２と導体保持部８２５との間の隙間に突出部３１２が挿入されて、突出部３１２がリップ部８２２と導体保持部８２５との間に保持される。また、導体保持部８２５の凹部８２６に端子板３１１が挿入されて、端子板３１１が導体８１に接続される。このような手順で、配線ダクト８０の長手方向の任意の位置に、ケーブル付コンセント１を取り付けることができる。
【００５４】
なお、配線ダクト８０への取付部３の取り付けを容易にするために、取付部３が、ボタン操作又はレバー操作等に応じて、アーム部材３２（天板３２１０）に対して接続部材３１を（筒状体３１０の軸を中心として）回転させる回転補助機構を備えていてもよい。
【００５５】
ケーブル付コンセント１を配線ダクト８０から取り外すときは、取り付けの際の手順とは逆に、筒状体３１０の軸を中心として取付部３を９０度回転させてリップ部８２２と導体保持部８２５との間から突出部３１２を外し、取付部３を接続凹部８２１から引き抜けばよい。
【００５６】
（２．４）保持体
次に、保持体９について説明する。
【００５７】
保持体９は、図３に示すように、保持体本体９０と、一対の取付板９１と、フック９２と、を備える。
【００５８】
保持体本体９０は、樹脂材料から直方体状に形成されており、一面側（上面側）に円板状の天板を有している。一対の取付板９１は、樹脂材料からそれぞれ板状に形成されており、保持体本体９０の天板の上面から上方に突出する柱状の柱状部の先端から、天板と間隔を開けて天板と平行に互いに反対方向に突出している。フック９２は、保持体本体９０の底面（天板側とは反対の面）に設けられている。
【００５９】
フック９２は、ケーブル付コンセント１のケーブル４が引っ掛けられる大きさに形成されている。すなわち、保持体９は、ケーブル４の一部を引っ掛けるためのフック９２を備えている。保持体９は、取付部３から離れた位置でケーブル４の外郭４０を保持することが可能である。
【００６０】
保持体９は、例えば配線ダクト８０に取り付けられる。
【００６１】
保持体９を配線ダクト８０に取り付けるには、例えば、一対の取付板９１の突出方向が、接続凹部８２１の長手方向（ダクト本体８２の長手方向）に揃うように、保持体９を配線ダクト８０の下方に位置させる。そして、一対の取付板９１を下方から接続凹部８２１内に挿入し、保持体９を水平面内で９０度回転させる。これにより、ダクト本体８２のリップ部８２２と導体保持部８２５との間の隙間に取付板９１が挿入されて、取付板９１がリップ部８２２と導体保持部８２５との間に保持される。このような手順で、保持体９が、配線ダクト８０の長手方向の任意の位置に取り付けられる。
【００６２】
（２．５）使用例
上述のように、ケーブル付コンセント１は、取付部３を配線ダクト８０に取り付けることで、配線ダクト８０に取り付けられる。このとき、コンセント本体２は、コードの電線及び端子板３１１を介して、配線ダクト８０の導体８１に電気的に接続される。すなわち、配線ダクト８０から、コンセント本体２の接続口２０に接続された電気機器３０１に対して、電力の供給が可能となる。
【００６３】
コンセント本体２を使用しない場合、使用者は、アーム部材３２を折り曲げ（第２状態とし）、フック９２にケーブル４を引っ掛けておく。これにより、ケーブル付コンセント１は、配線ダクト８０に沿った姿勢（第２方向Ｄ２に沿った第２姿勢）で維持され、使用時にコンセント本体２によって占められる空間から、コンセント本体２をなくすことができる。（図５参照）。
【００６４】
コンセント本体２を使用したい場合、使用者は、例えばさすまた状の棒等を使ってケーブル４を持ち上げてフック９２から外し、鉛直方向においてケーブル４がフック９２の位置から外れるように、ケーブル４を水平方向（配線ダクト８０の幅方向）に僅かにずらす。こうすれば、コンセント本体２及びケーブル４が、コンセント本体２及びケーブル４の自重によってアーム部材３２の挿通孔の中心を回転軸として回転し、ケーブル付コンセント１は第１姿勢へと移行する。この際、減速機構としての第１ばね３２４及び第２ばね３２５が設けられていることで、コンセント本体２及びケーブル４が急激に回転するのが抑制される。
【００６５】
第１姿勢では、コンセント本体２（の接続口２０）が、使用面３００の近くに位置している。よって、使用者は、コンセント本体２に電気機器３０１のプラグを接続して、ケーブル付コンセント１から給電された電力により電気機器３０１を使用することができる（図４参照）。
【００６６】
電気機器３０１の使用が終了してコンセント本体２を使用しなくなると、使用者は、例えばさすまた状の棒等を使って、アーム部材３２を折り曲げながらケーブル４を回転させてコンセント本体２を持ち上げ、ケーブル４をフック９２に引っ掛ける。これにより、ケーブル付コンセント１を第２姿勢に維持させることができる。
【００６７】
ここで、保持体９は、取付部３から所定の距離だけ離れた位置でケーブル４の外郭４０を保持することが望ましい。例えば、保持体９は、ケーブル４の全長のうちで、真ん中よりも第２端４２に近い位置で外郭４０を保持できることが望ましい。例えば、保持体９は、配線ダクト８０において、ケーブル付コンセント１を第２姿勢としたときのケーブル４の第２端４２付近の位置に取り付けられていることが望ましい。この場合、ケーブル４は、第２端４２付近の部分でフック９２によって保持されるので、ケーブル付コンセント１を第２姿勢で安定して維持させることが可能となる。
【００６８】
（３）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下では、上述した実施形態を「基本例」と呼ぶ。以下に説明する変形例及び基本例は、適宜組み合わせて適用可能である。
【００６９】
（３．１）第１変形例
第１変形例の吊下型コンセントシステム１００について、図６を参照して説明する。本変形例の吊下型コンセントシステム１００は、主として取付部３、ケーブル４及び保持体９の構成が、基本例の吊下型コンセントシステム１００と相違する。
【００７０】
本変形例の吊下型コンセントシステム１００では、保持体９は、フック９２の代わりに、保持体本体９０内に第２結合部としての磁石９３を備えている。また、コンセント本体２内には、磁石９３と磁力によって結合可能な強磁性体材料からなる、第１結合部としての磁性体２３が収納されている。
【００７１】
また、本変形例の吊下型コンセントシステム１００では、ケーブル４は外郭４０を備えておらず、可撓性を有するコード４３が露出している。したがって、ケーブル４は、任意の部分で曲げることが可能である。
【００７２】
また、本変形例の吊下型コンセントシステム１００では、取付部３は、アーム部材３２の代わりにキャップ部材３３を備えている。キャップ部材３３は、例えば樹脂材料から、下方に向かって先細りした中空円柱状に形成されている。キャップ部材３３の上面には接続部材３１が接続されており、キャップ部材３３の下面の中央には、コード４３を通すための孔が形成されている。孔を通ってキャップ部材３３内に導入されたコード４３（の電源線）は、接続部材３１の端子板３１１（図３参照）に接続されている。
【００７３】
本変形例の吊下型コンセントシステム１００でも、コンセント本体２を使用しない場合に、コンセント本体２を保持体９で保持させることによって、ケーブル付コンセント１を第２姿勢に維持させることができる。これにより、コンセント本体２の非使用時には、ケーブル付コンセント１を取付部３と同じ高さに維持させることができ、使用時にコンセント本体２によって占められる空間から、コンセント本体２をなくすことができる。したがって、非使用時には、吊下型コンセントシステム１００が、人の行動範囲を制限する要因となりにくくなる。
【００７４】
また、本変形例の吊下型コンセントシステム１００では、フック９２にケーブル４を引っ掛ける作業が不要なため、基本例の吊下型コンセントシステム１００に比べて、ケーブル付コンセント１を保持体９に保持させる作業が容易である。
【００７５】
なお、本変形例において、取付部３がアーム部材３２を備えていてもよいし、保持体９がフック９２と磁石９３との両方を備えていてもよい。第１結合部が磁性体であって第２結合部が磁石であってもよいし、第１結合部と第２結合部の両方が磁石であってもよい。第２結合部は、コンセント本体２ではなくケーブル４に取り付けられていてもよい。コンセント本体２を保持体９から容易に取り外せるように、例えば、保持体９に紐体が取り付けられていてもよい。
【００７６】
（３．２）第２変形例
第２変形例の吊下型コンセントシステム１００について、図７を参照して説明する。本変形例の吊下型コンセントシステム１００は、主として取付部３、ケーブル４の構成が、基本例の吊下型コンセントシステム１００と相違する。
【００７７】
本変形例の吊下型コンセントシステム１００では、第１変形例の場合と同様に、ケーブル４が外郭４０を備えておらず、可撓性を有するコード４３が露出している。
【００７８】
また、本変形例の吊下型コンセントシステム１００では、取付部３は、アーム部材３２の代わりに巻取部材３４を備えている。巻取部材３４は、例えば、ハウジング３４１と、リールと、ぜんまいばねである巻取ばねと、解除ボタン３４２と、を備えている。
【００７９】
ハウジング３４１は、例えば樹脂材料から、内部に収納空間３４０を有する円筒状に形成されている。ハウジング３４１は、円筒状の側面の一部（上部）に、平面状の平面部を有しており、この部分に接続部材３１が接続されている。また、円筒状のハウジング３４１の側面において、平面部から離れた部分には、コード４３を通すための挿通孔３４３が形成されている。リールは、ハウジング３４１内に収納されている。コード４３の取付部３側の一部は、ハウジング３４１の収納空間３４０内に、リールによって巻き取り可能に収納されている。
【００８０】
リールは、ラチェット機構により、コード４３の繰り出しのみが可能となるように回転の向きが制限されており、コード４３を引っ張ればハウジング３４１の収納空間３４０からコード４３が引き出される。そして、コード４３が引き出された状態で解除ボタン３４２が操作されると、ラチェット機構による制限が解除されて、巻取ばねからリールに作用する復元力により、コード４３を巻き取る向きにリールが回転する。
【００８１】
すなわち、本変形例では、取付部３は、ケーブル４（コード４３）における取付部３側の一部（第１端４１の部分）を出し入れ可能に収納するための収納空間３４０を有している。
【００８２】
例えば、配線ダクト８０の長さがケーブル４の長さよりも短い等の理由で、配線ダクト８０において取付部３に比較的近い位置に、保持体９が取り付けられる場合がある。この場合、ケーブル４（コード４３）において、フック９２に引っ掛けられる箇所と第２端４２との間の部分（余り部分）は、フック９２から上下方向に吊り下げられた状態となる。本変形例の吊下型コンセントシステム１００であれば、このような場合でも、取付部３の収納空間３４０内に、ケーブル４の第１端４１の部分を収納することで、上記余り部分を少なくすることが可能となる。
【００８３】
なお、巻取部材３４は、ケーブル４の長さを調整するための長さ調整機構としても機能している。
【００８４】
本変形例において、ケーブル４が、外郭４０を備えていてもよい。外郭４０は、例えば、コード４３の第１端の部分（取付部３に近い部分）を露出させ、コード４３の第２端の部分（取付部３とは反対側の部分）を収納する。本変形例において、リール、巻取ばね及び解除ボタン（及びラチェット機構、収納空間）は、コンセント本体２に設けられていてもよい。
【００８５】
（３．３）第３変形例
第３変形例の吊下型コンセントシステム１００について、図８を参照して説明する。本変形例の吊下型コンセントシステム１００は、主として、ケーブル４の構成が基本例の吊下型コンセントシステム１００と相違する。
【００８６】
本変形例の吊下型コンセントシステム１００では、ケーブル４は、外郭４０として、第１外郭４０１及び第２外郭４０２を備えている。第１外郭４０１及び第２外郭４０２の各々は、例えばステンレス等の金属製のパイプであり、表面が絶縁性の合成樹脂でコーティングされている。第１外郭４０１及び第２外郭４０２の各々は、規定値以上の剛性を有する。第１外郭４０１及び第２外郭４０２の各々は、円筒状である。第２外郭４０２の外径は、第１外郭４０１の内径よりも僅かに小さい。第１外郭４０１は外郭４０の第１端４１側に位置し、第２外郭４０２は外郭４０の第２端４２側に位置しており、第２外郭４０２の一部が第１外郭４０１内に挿入されることで、外郭４０が一本のパイプ状に構成されている。本変形例では、第２外郭４０２の第１外郭４０１内への挿入量を変化させることで、外郭４０の長さ（ケーブル４の長さ）を調整することが可能である。なお、コードは外郭４０内で撓み可能な太さであることが好ましく、外郭４０内におけるコードの長さは、第１外郭４０１の長さと第２外郭４０２の長さとを合わせた程度の長さであればよい。
【００８７】
また、ケーブル４は、第２外郭４０２と第１外郭４０１との相対位置を固定するための固定具４４を更に備えている。固定具４４は、ここでは蝶ねじである。第１外郭４０１における第２外郭４０２側の端部には、ねじ孔が設けられている。固定具４４をこのねじ孔にねじ込んで、固定具４４の先端を第２外郭４０２に接触させることで、第１外郭４０１と第２外郭４０２との相対位置を固定することが可能である。
【００８８】
すなわち、本変形例では、第１外郭４０１、第２外郭４０２及び固定具４４が、ケーブル４の長さを調整するための長さ調整機構を構成する。
【００８９】
本変形例の吊下型コンセントシステム１００であれば、コンセント本体２を使用する場合に、ケーブル４の長さを調整することができ、所望の高さにコンセント本体２を位置させることが可能となる。また、コンセント本体２を使用しない場合に、第２外郭４０２の一部を第１外郭４０１内に挿入することでケーブル４の長さを短くして、長さの短くなったケーブル付コンセント１を第２姿勢で保持させることができる。
【００９０】
本変形例において、外郭４０は、第１外郭４０１及び第２外郭４０２に加えて一又は複数の追加外郭を備えていてもよい。追加外郭は、円筒状であり、その一部（端部）が第２外郭４０２又は他の追加外郭の内部に挿入されてもよい。
【００９１】
（３．４）第４変形例
第４変形例の吊下型コンセントシステム１００について、図９を参照して説明する。本変形例の吊下型コンセントシステム１００は、主として、取付部３の構成が基本例の吊下型コンセントシステム１００と相違する。
【００９２】
本変形例の吊下型コンセントシステム１００では、取付部３は、アーム部材３２の代わりに横回転部材３５と接続ケーブル３６とを備えている。
【００９３】
横回転部材３５は、回転体３５０と、第１支持体３５１と、第２支持体３５２と、を備える。回転体３５０は、例えば樹脂材料から円筒状に形成されている。第１支持体３５１は、例えば樹脂材料から有底円筒状に形成され、底面が上側となるように回転体３５０の上側に配置される。第１支持体３５１の底面（上面）に、接続部材３１が接続されている。第２支持体３５２は、例えば樹脂材料から有底円筒状に形成され、底面が下側となるように回転体３５０の下側に配置される。第１支持体３５１と第２支持体３５２とは、上下方向において回転体３５０を間に挟んで回転体３５０の上下に配置されている。第１支持体３５１と第２支持体３５２とは、互いに固定されている。第１支持体３５１と第２支持体３５２とは、円筒状の回転体３５０の軸を中心として回転体３５０が回転可能となるように、回転体３５０を保持している。図９のドットハッチングされた矢印は、回転体３５０の回転方向を示している。ただし、回転体３５０の回転範囲は、ドットハッチングされた矢印の範囲に限られず、回転体３５０の軸を中心として任意の角度に回転可能（すなわち、回転体３５０の可動範囲が３６０°）であってもよい。
【００９４】
接続ケーブル３６は、回転体３５０に接続（保持）されており、回転体３５０と一緒に回転する。接続ケーブル３６は、外郭（接続ケーブル外郭）３６０を備えている。外郭３６０は、例えばステンレス等の金属製のパイプであり、表面が絶縁性の合成樹脂でコーティングされている。外郭３６０は、円筒状である。外郭３６０は、所定値以上の剛性を有する。例えば、外郭３６０は、コンセント本体２の接続口２０にプラグを接続していない状態で、ケーブル付コンセント１を第１姿勢で維持したときに、外郭３６０がほぼ撓まない程度の曲げ剛性を有していることが好ましい。外郭３６０は、曲げ剛性及びねじり剛性が大きいことが好ましい。
【００９５】
接続ケーブル３６は、回転体３５０の側面から、回転体３５０の一径方向に突出するように回転体３５０に保持されている。すなわち、横回転部材３５は、第１方向Ｄ１と直交する面内に位置するように、接続ケーブル３６の第１端３６１を保持している。そして、回転体３５０が回転することで、第１方向Ｄ１と直交する面内で接続ケーブル３６が回転する。
【００９６】
外郭３６０の第２端３６２は、回転部材（第２回転部材）３７に接続されている。
【００９７】
ケーブル４は、外郭４０を備えている。ケーブル４の第１端４１は、接続ケーブル３６の第２端３６２と、回転部材（第２回転部材）３７を介して相対回転可能に接続されている。
【００９８】
ケーブル４及び接続ケーブル３６内には、コードが収納されている。コードの第１端は、コンセント本体２のケース２１内で２つの分岐コードに分岐されており、各分岐コードは、２つの接続口２０のうちの対応する接続口２０の端子部（速結端子）に接続されている。コードは、ケーブル４の外郭４０、回転部材３７の内部、接続ケーブル３６の外郭３６０内及び回転体３５０内を通って、その（電源線の）第２端が接続部材３１の端子板３１１（図３参照）に接続されている。
【００９９】
すなわち、コンセント本体２は、接続ケーブル３６における横回転部材３５とは反対側の端部（接続ケーブル３６の第２端３６２）から、ケーブル４を介して、第１方向Ｄ１に沿って吊り下げられる。
【０１００】
本変形例の吊下型コンセントシステム１００では、回転体３５０を第１支持体３５１及び第２支持体３５２に対して回転させることで、第１方向Ｄ１と直交する面内（水平面内）でのコンセント本体２の位置を調整することが可能となる。また、コンセント本体２を使用しない場合には、接続ケーブル３６の長手方向が配線ダクト８０の長手方向に沿うように回転体３５０を回転させる。そして、ケーブル４が配線ダクト８０の長手方向に沿うように回転部材３７を回転させ、ケーブル４を保持体９のフック９２に引っ掛けることによって、ケーブル付コンセント１を第２姿勢に維持させることができる。
【０１０１】
本変形例において、変形例１のように保持体９が磁力によってコンセント本体２を保持する構成であってもよい。本変形例において、第３変形例のように、ケーブル４が、第１外郭４０１、第２外郭４０２及び固定具４４を備えていてもよい。本変形例において、ケーブル４が外郭４０を備えず、回転部材３７が省略されてもよい。本変形例において、横回転部材３５は、所定の角度間隔（例えば５°間隔）で回転体３５０の回転位置を固定可能な仮位置固定機構（歯車機構、例えばラチェット機構）を備えていてもよい。
【０１０２】
（３．５）第５変形例
第５変形例の吊下型コンセントシステム１００について、図１０を参照して説明する。本変形例の吊下型コンセントシステム１００は、主として、接続ケーブル３６の構成が第４変形例の吊下型コンセントシステム１００と相違する。なお、図１０のドットハッチングされた矢印は、回転体３５０の回転方向を示している。ただし、回転体３５０の回転範囲は、ドットハッチングされた矢印の範囲に限られず、回転体３５０の軸を中心として任意の角度に回転可能（すなわち、回転体３５０の可動範囲が３６０°）であってもよい。
【０１０３】
本変形例の吊下型コンセントシステム１００では、第３変形例の吊下型コンセントシステム１００のケーブル４の場合と同様に、接続ケーブル３６が、外郭３６０として、第１外郭３６０１及び第２外郭３６０２を備えている。第１外郭３６０１及び第２外郭３６０２の各々は、例えばステンレス等の金属製のパイプであり、表面が絶縁性の合成樹脂でコーティングされている。第１外郭３６０１及び第２外郭３６０２の各々は、所定値以上の剛性を有する。第１外郭３６０１及び第２外郭３６０２の各々は、円筒状である。第２外郭３６０２の外径は、第１外郭３６０１の内径よりも僅かに小さい。第１外郭３６０１は外郭３６０の第１端３６１側に位置し、第２外郭３６０２は外郭３６０の第２端３６２側に位置しており、第２外郭３６０２の一部が第１外郭３６０１内に挿入されることで、外郭３６０が一本のパイプ状に構成されている。本変形例では、第２外郭３６０２の第１外郭３６０１内への挿入量を変化させることで、外郭３６０の長さ（接続ケーブル３６の長さ）を調整することが可能である。また、接続ケーブル３６は、第１外郭３６０１と第２外郭３６０２との相対位置を固定するための固定具３６４を更に備えている。固定具３６４は、ここでは蝶ねじである。第１外郭３６０１における第２外郭３６０２側の端部には、ねじ孔が設けられている。固定具３６４をこのねじ孔にねじ込んで、固定具３６４の先端を第２外郭３６０２に接触させることで、第１外郭３６０１と第２外郭３６０２との相対位置を固定することが可能である。
【０１０４】
本変形例の吊下型コンセントシステム１００であれば、第４変形例の機能に加えて、回転体３５０を回転させ、接続ケーブル３６の長さを調整することによって、第１方向Ｄ１と直交する面内（水平面内）でのコンセント本体２の位置を調整することが可能となる。
【０１０５】
本変形例において、変形例１のように保持体９が磁力によってコンセント本体２を保持する構成であってもよい。本変形例において、第３変形例のように、ケーブル４が、第１外郭４０１、第２外郭４０２及び固定具４４を備えていてもよい。本変形例において、ケーブル４が外郭４０を備えず、回転部材３７が省略されてもよい。本変形例において、横回転部材３５は、所定の角度間隔（例えば５°間隔）で回転体３５０の回転位置を固定可能な仮位置固定機構（歯車機構、例えばラチェット機構）を備えていてもよい。
【０１０６】
第４及び第５変形例の一態様において、吊下型コンセントシステム１００は、保持体９を備えていなくてもよい。例えば、吊下型コンセントシステム１００は、配線ダクト８０に取り付けられて配線ダクト８０から電力が供給されるケーブル付コンセント１を備えている。ケーブル付コンセント１は、接続部材３１と、コンセント本体２と、接続ケーブル３６と、回転部材（横回転部材）３５と、を備えている。接続部材３１は、配線ダクト８０に取り付けられて配線ダクト８０に電気的に接続される。コンセント本体２は、接続対象（電気機器３０１のプラグ）を接続するための接続口２０を有する。接続ケーブル３６は、所定値以上の剛性を有する外郭３６０を備えており、接続部材３１からコンセント本体２への電力の供給経路となる。横回転部材３５は、接続ケーブル３６の第１端３６１を保持する。コンセント本体２は、接続ケーブル３６の第２端３６２から第１方向Ｄ１に沿って吊り下げられる。横回転部材３５は、第１方向Ｄ１と直交する面内に位置するように接続ケーブル３６を保持して、第１方向Ｄ１と直交する面内で接続ケーブル３６を回転させる。
【０１０７】
第４及び第５変形例の上記一態様において、吊下型コンセントシステム１００は、接続ケーブル３６の第２端３６２とコンセント本体２との間を接続するケーブル４を更に備えてもよい。
【０１０８】
第４及び第５変形例の上記一態様の吊下型コンセントシステム１００において、接続ケーブル３６の長さが可変であってもよい。
【０１０９】
（３．６）その他の変形例
基本例、第４変形例及び第５変形例において、ケーブル４の外郭４０は金属製であるがこれに限られず、ケーブル付コンセント１を保持体９によって第２姿勢に保ったときに撓まない程度の剛性を有していれば、樹脂等他の材料から形成されていてもよい。さらに、ケーブル４の外郭４０は、パイプ状の構造物ではなく、規定値以上の剛性を有する（ケーブル付コンセント１を保持体９によって第２姿勢に保ったときに撓まない程度の剛性を有する）シース（コードのシース）であってもよい。同様に、第３変形例において、第２外郭４０２は樹脂等の材料から形成され規定値以上の剛性を有するパイプ状の構造物でもよく、規定値以上の剛性を有するシースであってもよい。また、第４変形例において、接続ケーブル３６の外郭３６０は金属製であるがこれに限られず、樹脂等他の材料から形成されていてもよい。また、接続ケーブル３６の外郭３６０は、所定値以上の剛性を有するシースであってもよい。同様に、第５変形例において、第２外郭３６０２は、樹脂等の材料から形成され所定値以上の剛性を有するパイプ状の構造物でもよく、所定値以上の剛性を有するシースであってもよい。
【０１１０】
保持体９は、配線ダクト８０に取り付けられていなくてもよい。例えば、保持体９は、配線ダクト８０が取り付けられている部屋の天井の任意の位置に取り付けられてもよい。
【０１１１】
コンセント本体２に接続される接続対象は、電気機器３０１のプラグのみに限られない。すなわち、コンセント本体２は、電気機器３０１のプラグが接続される差込口以外の接続口を、備えていてもよい。例えば、コンセント本体２は、ＬＡＮ（Local Area Network）ケーブル等の通信ケーブルのコネクタを接続するための接続口を備えていてもよく、ＵＳＢコンセントの接続口を備えていてもよい。なお、ＨＤ−ＰＬＣ（登録商標）等のＰＬＣ（Power Line Communication）技術を用いて、電源線を通信回線として利用してもよい。
【０１１２】
コンセント本体２が備える接続口２０の数は、２個に限られず、１個でも３個以上であってもよい。
【０１１３】
保持体９は、ケーブル４の一部を引っ掛けるためのフック９２を備えた構成又は磁力によってコンセント本体２を保持する構成に限られない。例えば、ドアキャッチャーの構造のように、コンセント本体２においてケース２１の第２端２１２側に設けられてケース２１に対して進退可能な爪と、保持体９に設けられて爪を保持可能な受け部と、を備えた構成であってもよい。
【０１１４】
ケーブル４が第１方向Ｄ１に沿う姿勢と第２方向Ｄ２に沿う姿勢との間で回転可能となるようにケーブル４を保持する縦回転機構は、アーム部材３２の構造に限られない。縦回転機構は、例えば複数の歯車を組み合わせてケーブル４を回転させる構造等であってもよい。
【０１１５】
縦回転機構によってケーブル付コンセント１が第２姿勢から第１姿勢に向かって回転するときのケーブル４の回転速度を減速させる減速機構は、第１ばね３２４及び第２ばね３２５を備えた構造に限られない。減速機構は、例えば１つ又は３以上のばねによってケーブル４の回転速度を減速させる構造、ゴムなどの弾性体を備えた構造等であってもよい。減速機構がケーブル４の回転速度を減速させる範囲は、ケーブル４の回転範囲の全範囲であってもよいし、ケーブル４の回転範囲の一部だけであってもよい。ただし、減速機構は、少なくとも、ケーブル４の回転範囲のうち、ケーブル４と鉛直方向とのなす角度が小さくなる範囲で、ケーブル４の回転速度を減速させることが好ましい。
【０１１６】
第１方向Ｄ１と直交する面内に位置するように接続ケーブル３６を保持して、接続ケーブル３６を面内で回転させる横回転機構は、横回転部材３５の構造に限られない。横回転機構は、例えばアーム部材３２と同様に、相対回転可能な２つの部材から構成されていてもよいし、複数の歯車を組み合わせてケーブル４を回転させる構造等であってもよい。
【０１１７】
ケーブル４の長さを調整するための長さ調整機構は、第３変形例のように複数の外郭を備えた構造又は巻取部材３４の構造に限られない。長さ調整機構は、例えば、ケーブル４の一部をコイル状に形成した、いわゆるカールコードとする構造であってもよい。
【０１１８】
（４）態様
以上説明した基本例及び変形例から明らかなように、第１の態様の吊下型コンセントシステム（１００）は、ケーブル付コンセント（１）と、保持体（９）と、を備える。ケーブル付コンセント（１）は、配線ダクト（８０）に取り付けられて配線ダクト（８０）から電力が供給される。保持体（９）は、ケーブル付コンセント（１）を保持するための保持体である。ケーブル付コンセント（１）は、取付部（３）と、コンセント本体（２）と、ケーブル（４）と、を備える。取付部（３）は、配線ダクト（８０）に取り付けられる。コンセント本体（２）は、接続対象を接続するための接続口（２０）を有し、取付部（３）から第１方向（Ｄ１）に沿って吊り下げられる。ケーブル（４）は、取付部（３）とコンセント本体（２）とを接続する。保持体（９）は、ケーブル付コンセント（１）が、ケーブル（４）が第１方向（Ｄ１）と交差する第２方向（Ｄ２）に沿う姿勢となるように、ケーブル付コンセント（１）における取付部（３）以外の部分を保持する。
【０１１９】
この構成によれば、例えばコンセント本体（２）を使用しない場合、保持体（９）によってケーブル付コンセント（１）を、ケーブル（４）が第１方向（Ｄ１）と交差する第２方向（Ｄ２）に沿う姿勢（第２姿勢）に維持することができる。これにより、コンセント本体（２）を使用しないとき（非使用時）に、吊下型コンセントシステム（１００）が人の行動範囲を制限する要因となりにくくなる。
【０１２０】
第２の態様の吊下型コンセントシステム（１００）では、第１の態様において、ケーブル（４）は、規定値以上の剛性を有する外郭（４０）を備える。
【０１２１】
この構成によれば、ケーブル付コンセント（１）を第２姿勢に維持したとき、ケーブル（４）が垂れたりしてしまう可能性が低くなる。
【０１２２】
第３の態様の吊下型コンセントシステム（１００）では、第２の態様において、保持体（９）は、取付部（３）から離れた位置でケーブル（４）の外郭（４０）を保持する。
【０１２３】
この構成によれば、コンセント本体（２）の形状によらずに、保持体（９）によってケーブル付コンセント（１）を第２姿勢に維持することが可能となる。
【０１２４】
第４の態様の吊下型コンセントシステム（１００）では、第２又は第３の態様において、取付部（３）は、縦回転機構（アーム部材３２）を備える。縦回転機構は、ケーブル（４）が第１方向（Ｄ１）に沿う姿勢と第２方向（Ｄ２）に沿う姿勢との間で回転可能となるようにケーブル（４）を保持する。
【０１２５】
この構成によれば、縦回転機構によって、ケーブル（４）を第１方向（Ｄ１）に沿う姿勢と第２方向（Ｄ２）に沿う姿勢との間で回転させることが可能となる。
【０１２６】
第５の態様の吊下型コンセントシステム（１００）は、第４の態様において、減速機構（第１ばね３２４、第２ばね３２５）を更に備える。減速機構は、縦回転機構によりケーブル付コンセント１が第２方向（Ｄ２）に沿う姿勢（第２姿勢）から第１方向（Ｄ１）に沿う姿勢（第１姿勢）に向かって回転するときの、ケーブル（４）の回転速度を減速させる。
【０１２７】
この構成によれば、ケーブル（４）及びコンセント本体（２）の回転速度を減速させることが可能となり、吊下型コンセントシステム（１００）の安全性を向上させることが可能となる。
【０１２８】
第６の態様の吊下型コンセントシステム（１００）は、第１の態様において、取付部（３）は、ケーブル（４）における取付部（３）側の一部を出し入れ可能に収納するための収納空間（３４０）を有する。
【０１２９】
この構成によれば、ケーブル（４）において、フック（９２）に引っ掛けられる箇所と第２端（４２）との間の部分、すなわち余り部分を少なくすることが可能となる。
【０１３０】
第７の態様の吊下型コンセントシステム（１００）は、第１〜第６の何れかの態様において、保持体（９）は、配線ダクト（８０）に取り付けられる。
【０１３１】
この構成によれば、配線ダクト（８０）の長手方向に沿って保持体（９）の取り付け位置を任意に変更することができ、ケーブル付コンセント（１）を保持する位置を任意に変更することが可能となる。
【０１３２】
第８の態様の吊下型コンセントシステム（１００）は、第１〜第７の何れかの態様において、保持体（９）は、ケーブル（４）の一部を引っ掛けるためのフック（９２）を備える。
【０１３３】
この構成によれば、簡単な構造で、保持体（９）によってケーブル付コンセント（１）を保持することが可能となる。
【０１３４】
第９の態様の吊下型コンセントシステム（１００）は、第１〜第８の何れかの態様において、コンセント本体（２）は、第１結合部（磁性体２３）を備え、保持体（９）は、第２結合部（磁石９３）を備える。第１結合部と前記第２結合部とは、磁力によって互いに結合される。
【０１３５】
この構成によれば、簡単な構造で、保持体（９）によってケーブル付コンセント（１）を保持することが可能となる。
【０１３６】
第１０の態様の吊下型コンセントシステム（１００）は、第１〜第９の何れかの態様において、取付部（３）は、接続ケーブル（３６）と、横回転機構（横回転部材３５）と、を備える。接続ケーブル（３６）は、所定値以上の剛性を有する外郭（３６０）を備えており、ケーブル（４）に接続されている。横回転機構は、第１方向（Ｄ１）と直交する面内に位置するように接続ケーブル（３６）を保持して、第１方向（Ｄ１）と直交する面内で接続ケーブル（３６）を回転させる。
【０１３７】
この構成によれば、第１方向（Ｄ１）と直交する面内でのコンセント本体（２）の位置を調整することが可能となる。
【０１３８】
第１１の態様の吊下型コンセントシステム（１００）は、第１〜第１０の何れかの態様において、ケーブル（４）の長さは、コンセント本体（２）が、接続対象としてのプラグを有する電気機器（３０１）が設置される使用面（３００）と、配線ダクト（８０）と、の間に位置する長さに設定される。
【０１３９】
この構成によれば、吊下型コンセントシステム（１００）の使い勝手が向上する。
【０１４０】
第１２の態様の吊下型コンセントシステム（１００）は、第１〜第１１の何れかの態様において、ケーブル（４）の長さを調整するための長さ調整機構を更に備える。
【０１４１】
この構成によれば、所望の高さにコンセント本体（２）を位置させることが可能となり、吊下型コンセントシステム（１００）の使い勝手が向上する。
【符号の説明】
【０１４２】
１００  吊下型コンセントシステム
１  ケーブル付コンセント
２  コンセント本体
２０  接続口
２３  磁性体（第１結合部）
３  取付部
３２  アーム部材（縦回転機構）
３２４  第１ばね（減速機構）
３２５  第２ばね（減速機構）
３４０  収納空間
３５  横回転部材（横回転機構）
３６  接続ケーブル
３６０  外郭
４  ケーブル
４０  外郭
８０  配線ダクト
９  保持体
９２  フック
９３  磁石（第２結合部）
３００  使用面
Ｄ１  第１方向
Ｄ２  第２方向
【図１】
2019046594.tif 000003
【図２】
2019046594.tif 000004
【図３】
2019046594.tif 000005
【図４】
2019046594.tif 000006
【図５】
2019046594.tif 000007
【図６】
2019046594.tif 000008
【図７】
2019046594.tif 000009
【図８】
2019046594.tif 000010
【図９】
2019046594.tif 000011
【図１０】
2019046594.tif 000012